(57)【特許請求の範囲】
【請求項１】
潜像担持体と、
極性を有するトナーとキャリア液とを含む液体トナーを用いて前記潜像担持体に対して現像を行う現像部と、
第１面及び前記第１面とは異なる第２面を有し、前記現像部で前記潜像担持体に現像された像が前記第１面に転写される転写ベルトと、
前記像を潜像担持体から前記転写ベルトに転写させる一次転写部と、
前記第２面から帯電させるコロナ発生手段と、
前記コロナ発生手段で帯電された前記像を記録媒体に転写させる二次転写部と、を有し、
前記コロナ発生手段は、前記トナーと同極性のコロナを発生させることを特徴とする画像形成装置。
【請求項２】
前記像が転写された前記転写ベルトの第１面に当接する第２の潜像担持体と、
前記トナーと同極性の第２のトナーと前記キャリア液とを含む第２の液体トナーで前記第２の潜像担持体を現像する第２の現像部と、
前記第２の現像部で前記第２の潜像担持体に現像された第２の像を前記転写ベルトに転写させる第２の一次転写部と、を有し、
前記コロナ発生手段は前記第２の像が転写された前記転写ベルトを帯電させる請求項１に記載の画像形成装置。
【請求項３】
前記第２の像が転写された前記転写ベルトの第１面に当接する第３の潜像担持体と、
前記トナーと同極性の第３のトナーと前記キャリア液とを含む第３の液体トナーで前記第３の潜像担持体を現像する第３の現像部と、
前記第３の現像部で前記第３の潜像担持体に現像された第３の像を前記転写ベルトに転写させる第３の一次転写部と、
前記第３の像が転写された前記転写ベルトの第１面に当接する第４の潜像担持体と、
前記トナーと同極性の第４のトナーと前記キャリア液とを含む第４の液体トナーで前記第４の潜像担持体を現像する第４の現像部と、
前記第４の現像部で前記第４の潜像担持体に現像された第４の像を前記転写ベルトに転写させる第４の一次転写部と、を有し、
前記コロナ発生手段は前記第４の像が転写された前記転写ベルトを帯電させる請求項１に記載の画像形成装置。
【請求項４】
前記第４の像が転写された前記転写ベルトをスクイーズするスクイーズローラを有し、
前記コロナ発生手段は前記スクイーズローラでスクイーズされた像を担持する前記転写ベルトを帯電させる請求項３に記載の画像形成装置。
【請求項５】
前記トナーは正極性であり、前記コロナ発生手段に印加するバイアスは正バイアスである請求項２に記載の画像形成装置。
【発明の詳細な説明】
【技術分野】
【０００１】
本発明は、シリコンオイル、鉱物油又は食用油等からなるキャリア液にトナーを分散させた液体トナーにより感光体上に形成された静電潜像を現像する画像形成装置に関する。
【背景技術】
【０００２】
従来、シリコンオイル、鉱物油又は食用油等からなるキャリア液にトナーを分散させた高粘度の液体トナーを用いた液体現像方式の電子写真装置が知られている。キャリア液中にトナー粒子を分散させた液体トナーを用いる、このような装置では、現像時に感光体の表面にトナーを付着させたり、転写時に中間転写ベルトの表面から用紙にトナー粒子を移動させたりするために、荷電したトナー粒子を液体トナーの溶媒（キャリア液）中を電界の作用で移動（電気泳動）させる現象を利用している。このような現象を利用するために、このような装置においては、感光体上、中間転写ベルト上等の各所でキャリア液とトナー粒子との比率をコントロールすることが重要となってくる。
【０００３】
特許文献１（特開２０００−１２２４２７号公報）には、潜像担持体上に形成されたトナー像を中間転写ベルトに電界の作用により一次転写する一次転写手段と、中間転写ベルト上のトナー像を転写材に電界の作用により二次転写する二次転写手段とを有し、一次転写手段による一次転写を複数回行うことによって、中間転写ベルト上に重ね合わせ画像を形成し、この重ね合わせ画像を一括して二次転写する画像形成装置において、二回目以降に一次転写されるトナー像の現像に使用される液体トナー担持体上の現像液のトナー固形分率を、一回目に一次転写されるトナー像の現像に使用される液体トナー担持体上の現像液のトナー固形分率に応じて制御する、トナー固形分率制御手段が設けられた画像形成装置が開示されている。
【特許文献１】特開２０００−１２２４２７号公報
【発明の開示】
【発明が解決しようとする課題】
【０００４】
ところで、特許文献１に記載されているようなカラー画像形成装置においては、１色目のトナー粒子が、潜像担持体から中間転写ベルトに一次転写さる際に電界を受け、さらに２色目以降のトナー粒子が、中間転写ベルトに一次転写さる際に電界を受ける、というように複数色のトナー粒子を中間転写ベルトに順次重ね合わせていくうちに、トナー粒子は複数回電界を受けて、トナー粒子同士が凝集し膜状態となる。
【０００５】
このような状態となった段階、すわなち、用紙転写前の段階の中間転写ベルト上のトナー粒子の様子を拡大した図を図7に示す。図７においては、併せて用紙表面の様子も示されている。用紙転写前の中間転写ベルト上では、中間転写ベルト表面１０１に近い側にトナー粒子１０２の層がありその上にキャリア液１０３の層がある状態となっており、また、用紙表面は、用紙繊維１０４が網の目状に入り組んだ状態となっている。
【０００６】
この状態で用紙転写部（二次転写部）に進入すると、特にラフ紙においてキャリア液が先に用紙繊維の網目に吸収されるため、中間転写ベルト上のトナー粒子層が電気泳動しにくくなり、中間転写ベルト上にトナー粒子が残ってしまう二次転写不良となる。図８に、二次転写後、二次転写不良を起こした際の中間転写ベルト、用紙上のトナー粒子及びキャリア液の様子を拡大したものを示す。図に示されるように、一部トナー粒子１０５が用紙側に移動せず、中間転写ベルト表面１０１上に残留してしまっている。このような二次転写不良は、一部のトナー粒子１０５が一次転写の際の電界により中間転写ベルト表面１０１側に強固に凝集・固着してしまうことが原因の一つであり、さらに、前述のように、キャリア液を吸収しやすい用紙の場合、用紙繊維１０４の側に、キャリア液１０８のみが先に移動してしまうことによりトナー粒子１０５が電気泳動し、用紙側に移動するのに十分な溶媒が足りなくなることも原因である。
【課題を解決するための手段】
【０００７】
本発明は上記課題を解決するためのもので、本発明に係る画像形成装置は、潜像担持体と、極性を有するトナーとキャリア液とを含む液体トナーを用いて前記潜像担持体に対して現像を行う現像部と、第１面及び前記第１面とは異なる第２面を有し、前記現像部で前記潜像担持体に現像された像が前記第１面に転写される転写ベルトと、前記像を潜像担持体から前記転写ベルトに転写させる一次転写部と、前記第２面から帯電させるコロナ発生手段と、前記コロナ発生手段で帯電された前記像を記録媒体に転写させる二次転写部と、を有し、前記コロナ発生手段は、前記トナーと同極性のコロナを発生させることを特徴とする。
【０００８】
また、本発明に係る画像形成装置は、前記像が転写された前記転写ベルトの第１面に当接する第２の潜像担持体と、前記トナーと同極性の第２のトナーと前記キャリア液とを含む第２の液体トナーで前記第２の潜像担持体を現像する第２の現像部と、前記第２の現像部で前記第２の潜像担持体に現像された第２の像を前記転写ベルトに転写させる第２の一次転写部と、を有し、前記コロナ発生手段は前記第２の像が転写された前記転写ベルトを帯電させる。
【０００９】
また、本発明に係る画像形成装置は、前記第２の像が転写された前記転写ベルトの第１面に当接する第３の潜像担持体と、前記トナーと同極性の第３のトナーと前記キャリア液とを含む第３の液体トナーで前記第３の潜像担持体を現像する第３の現像部と、前記第３の現像部で前記第３の潜像担持体に現像された第３の像を前記転写ベルトに転写させる第３の一次転写部と、前記第３の像が転写された前記転写ベルトの第１面に当接する第４の潜像担持体と、前記トナーと同極性の第４のトナーと前記キャリア液とを含む第４の液体トナーで前記第４の潜像担持体を現像する第４の現像部と、前記第４の現像部で前記第４の潜像担持体に現像された第４の像を前記転写ベルトに転写させる第４の一次転写部と、を有し、前記コロナ発生手段は前記第４の像が転写された前記転写ベルトを帯電させる。
【００１０】
また、本発明に係る画像形成装置は、前記第４の像が転写された前記転写ベルトをスクイーズするスクイーズローラを有し、前記コロナ発生手段は前記スクイーズローラでスクイーズされた像を担持する前記転写ベルトを帯電させる。
また、本発明に係る画像形成装置は、前記トナーは正極性であり、前記コロナ発生手段に印加するバイアスは正バイアスである。
【発明の効果】
【００１１】
本発明によれば、一次転写手段と二次転写手段との間にコロナ発生手段が配置されているので、中間転写ベルトの表面に層状に貼り付いているトナー粒子を、コロナ発生手段からの電界で引き剥がすことができる。このため、トナー粒子層とキャリア液層の位置が交換され、中間転写ベルトに近い側にキャリア液層、遠い側にトナー粒子層がくる配置となり、二次転写後、トナー粒子が完全に用紙等の媒体に転写されず、中間転写ベルト７０の表面に残留してしまう二次転写不良を防止することができる。
【発明を実施するための最良の形態】
【００１２】
以下、本発明の実施の形態を図面を参照しつつ説明する。図１は、本発明の実施の形態に係る画像形成装置を構成する主要構成要素を示した図である。現像ユニット５０Ｙ、５０Ｍ、５０Ｃ、５０Ｋは、画像形成装置の下部に配置されており、中間転写ベルト７０、二次転写ユニット８０は、画像形成装置の上部に配置されている。
【００１３】
中間転写ベルト７０は、ベルト駆動ローラ８２、８５に張架されたエンドレスのベルトであり、感光体２０Ｙ、２０Ｍ、２０Ｃ、２０Ｋと当接しながら回転駆動される。中間転写ベルト７０、一次転写バックアップローラ６１Ｙ、６１Ｍ、６１Ｃ、６１Ｋ及び感光体２０Ｙ、２０Ｍ、２０Ｃ、２０Ｋとで構成された一次転写ユニット６０Ｙ、６０Ｍ、６０Ｃ、６０Ｋにより、中間転写ベルト７０上に４色の液体トナーが順次重ねて転写され、フルカラー液体トナー像が形成される。
【００１４】
二次転写ユニット８０は、二次転写ローラ８１、ベルト駆動ローラ８２、二次転写ローラブレード８３、二次転写ローラクリーニング液回収部８４から成っており、中間転写ベルト７０上に形成された単色液体トナー像やフルカラー液体トナー像を用紙、フィルム、布等の媒体に転写するための装置である。
【００１５】
不図示の定着ユニットは、用紙等の媒体上に転写された単色液体トナー像やフルカラー液体トナー像を用紙等の媒体に融着させて永久像とするための装置である。
【００１６】
本発明においては、一次転写ユニット６０Ｙ、６０Ｍ、６０Ｃ、６０Ｋと二次転写ユニット８０との間の中間転写ベルト７０の背面には、ベルト背面コロナ発生器１０が設けられている。
【００１７】
現像ユニット５０Ｙ、５０Ｍ、５０Ｃ、５０Ｋは、それぞれ、イエロー（Ｙ）液体トナー、マゼンタ（Ｍ）液体トナー、シアン（Ｃ）液体トナー、ブラック（Ｋ）液体トナーで潜像を現像する機能を有している。イエロー（Ｙ）液体トナー、マゼンタ（Ｍ）液体トナー、シアン（Ｃ）液体トナー、ブラック（Ｋ）の各液体トナーは、キャリア液に各色のトナーを分散させたものが用いられる。
【００１８】
現像ユニット５０Ｙ、５０Ｍ、５０Ｃ、５０Ｋは、概略、各液体トナーを貯蔵する現像トナー容器５３Ｙ、５３Ｍ、５３Ｃ、５３Ｋ、これら現像トナー容器から各色液体トナーを現像ローラ５４Ｙ、５４Ｍ、５４Ｃ、５４Ｋに供給するトナー供給ローラ５１Ｙ、５１Ｍ、５１Ｃ、５１Ｋ、感光体２０Ｙ、２０Ｍ、２０Ｃ、２０Ｋを帯電する帯電器３０Ｙ、３０Ｍ、３０Ｃ、３０Ｋ、帯電された感光体に静電潜像を形成する不図示の露光ユニット（露光ユニットの光路は、４０Ｙ、４０Ｍ、４０Ｃ、４０Ｋ）から成る。
【００１９】
現像ユニット５０Ｙ、５０Ｍ、５０Ｃ、５０Ｋの構成は同様であるので、以下、現像ユニット５０Kについて説明する。
【００２０】
図１に示すように、感光体２０Kの回転方向に沿って、主に帯電ユニット３０K、露光ユニット、一次転写ユニット６０Kが配されている。感光体２０Kは、円筒状の基材とその外周面に形成された感光層を有し、中心軸を中心に回転可能であり、本実施の形態においては、時計回りに回転する。
【００２１】
帯電ユニット３０Kは、感光体２０Kを帯電するための装置である。不図示の露光ユニットからは、光路４０Kでレーザを照射することによって帯電された感光体２０K上に潜像を形成する。露光ユニットは、半導体レーザ、ポリゴンミラー、Ｆ−θレンズ等を有しており、入力された画像信号に基づいて、変調されたレーザを帯電された感光体２０K上に照射する。
【００２２】
現像ユニット５０Kは、感光体２０K上に形成された潜像を、ブラック（K）液体トナーを用いて現像するための装置である。現像ユニット５０Kの詳細については後述する。
【００２３】
一次転写ユニット６０Kは、感光体２０Kに形成されたブラック液体トナー像を中間転写ベルト７０に転写するための装置である。
【００２４】
図２は、現像ユニット５０Ｋの主要構成要素を示した断面図である。図２において、現像トナー容器５３Ｋは、感光体２０Ｋに形成された潜像を現像するための、トナー及びキャリア液からなる液体トナーを収容する。現像トナー容器５３Ｋに収容されている液体トナーは、従来一般的に使用されている、Ｉｓｏｐａｒ（商標：エクソン）をキャリアとした低濃度（１〜２ｗｔ％程度）かつ低粘度の、常温で揮発性を有する揮発性液体トナーではなく、高濃度かつ高粘度の、常温で不揮発性を有する不揮発性液体トナーである。すなわち、本実施の形態に係る液体トナーは、熱可塑性樹脂中へ顔料等の着色剤を分散させた平均粒径１μｍの固形子を、有機溶媒、シリコンオイル、鉱物油又は食用油等の液体溶媒中へ分散剤とともに添加し、トナー固形分濃度を約２５％とした高粘度（３０〜１００００ｍＰａ・ｓ程度）の液体トナーである。
【００２５】
現像トナー容器５３Ｋからは、トナー供給ローラ５１Ｋにより、現像ローラ５４Ｋへと液体トナーが供給される。トナー供給ローラ５１Ｋは、円筒状の部材であり、図２の示すように時計回りに回転し、表面に微細且つ一様に螺旋状の溝を形成したアニロックローラである。溝の寸法は、溝ピッチが約１３０μｍ、溝深さが約３０μｍである。
【００２６】
トナー規制ブレード５２Kは、トナー供給ローラ５１Ｋの表面に当接するウレタンゴム等からなるゴム部と、該ゴム部を支持する金属等の板で構成され、トナー供給ローラ５１Ｋに残存する液体トナーを掻き落として除去する。
【００２７】
現像ローラ５４Ｋは、幅約３２０ｍｍの円筒状の部材であり、中心軸を中心に図２に示すように反時計回りに回転する。該現像ローラ５４Ｋは鉄等金属製の内芯の外周部に、導電性ウレタンゴム等の弾性体と樹脂層やゴム層を備えたものである。現像ローラ５４Ｋには、現像ローラブレード５８K、及び現像ローラクリーニング液回収部５９Kが設けられている。この現像ローラブレード５８Kは現像ローラ５４Ｋの表面に当接するゴム等で構成され、現像ローラ５４Ｋに残存する液体トナーを掻き落として除去するためのものである。現像ローラクリーニング液回収部５９Kは現像ローラブレード５８Kが掻き落とした液体トナーを貯留するタンク等の容器である。
【００２８】
均しローラ５５Kは、円筒状の部材であり、中心軸を中心に回転し、金属ローラの表層に導電性の樹脂層やゴム層を備えた構造をしており、その回転方向は、図２に示すように、現像ローラ５４Ｋと反対方向の時計回りである。均しローラは、現像ローラ５４Ｋ表面の帯電バイアスを増加させる手段を有する。均しローラブレード５６Kは均しローラ５５Kの表面に当接するゴム等で構成され、均しローラ５５Kに残存する液体トナーを掻き落として除去するためのものである。均しローラクリーニング液回収部５７Kは均しローラブレード５６Kが掻き落とした液体トナーを貯留するタンク等の容器である。
【００２９】
感光体２０Ｋは、現像ローラ５４Ｋの幅約３２０ｍｍより広く、外周面に感光層が形成された円筒状の部材であり、中心軸を中心に図２に示すように時計回りで回転する。該感光体２０Ｋの感光層は、有機感光体又はアモルファスシリコン感光体等で構成される。
【００３０】
感光体２０Ｋの周囲には、感光体ブレード２１K、感光体クリーニング液回収部２２Kが配されている。感光体ブレード２１Kは、感光体２０Ｋの表面に当接され、ゴム製で、感光体２０Ｋに残存する液体トナーを掻き落として除去する。感光体クリーニング液回収部２２Kは、感光体ブレード２１Kが掻き落とした液体トナーを貯留するタンク等の容器である。
【００３１】
帯電器３０Ｋは、感光体２０Ｋと現像ローラ５４Ｋとのニップ部上流に設けられている。帯電器３０Ｋは、図示しない電源装置から液体トナー帯電極性と同極性のバイアスを印可され、感光体２０Ｋを帯電させる、このように帯電された感光体２０Ｋ上には、不図示の露光ユニットから、レーザ光が照射されることによって、潜像が形成される。形成された潜像は、現像ローラ５４Ｋにより現像され、一次転写ユニット６０Ｋにおいて、中間転写ベルト７０へと転写される。
【００３２】
次に本発明の画像形成装置の動作について説明する。引き続き、現像ユニットに関しては、４つの現像ユニットのうち現像ユニット５０Ｋを例にとり説明する。
【００３３】
現像トナー容器５３Ｋ中の液体トナーは、トナー固形分濃度２５%でトナー粒子はプラスの電荷を有する。この液体トナーは、トナー供給ローラ５１Ｋが回転することによって、現像トナー容器５３Ｋから汲み上げられる。トナー規制ブレード５２Kは、トナー供給ローラ５１Ｋの表面に当接し、トナー供給ローラ５１Ｋの表面に形成された溝内の現像液を残しその他の余分な現像液を掻き取って、現像ローラ５４Ｋに供給する液体トナー量を規制する。このような規制によって、現像ローラ５４Ｋへ塗布される液体トナーの膜厚が約６μｍとなるように定量化される。トナー規制ブレード５２Kに掻き取られた液体トナーは重力によって現像トナー容器５３Ｋに落下し戻される。トナー規制ブレード５２Kに掻き取られなかった液体トナーは、トナー供給ローラ５１Ｋの表面の凹凸の溝内に収容されており、現像ローラ５４Ｋに圧接することで、現像ローラ５４Ｋの表面に塗布される。
【００３４】
トナー供給ローラ５１Ｋによって液体トナーを塗布された現像ローラ５４Ｋは、トナー供給ローラ５１Ｋとのニップ部下流で均しローラ５５Kに当接する。現像ローラ５４Ｋには約＋４００Ｖのバイアスが印可されており、均しローラ５５Kには、現像ローラ８より高く、液体トナーの帯電極性と同極性のバイアスが印可される。本実施形態では、均しローラ５５Kには、約＋６００Ｖのバイアスが印可されている。このため現像ローラ５４Ｋ上の液体トナー中のトナー粒子は均しローラ５５Kとのニップを通過する際に、現像ローラ５４Ｋ側へ移動する。これによりトナー粒子同士が緩やかに結合され膜化された状態となり、感光体での現像の際、トナー粒子は、現像ローラ５４Ｋから感光体２０Ｋへの移動がすばやくなり、画像濃度が向上する。
【００３５】
感光体２０Ｋはアモルファスシリコン製であり、現像ローラ５４Ｋとのニップ部上流でコロナ帯電器３０Ｋのワイヤに約＋５．５ｋＶを印可することにより表面を約＋６００Ｖに帯電させられた後、露光ユニットにより画像部の電位が＋２５Ｖとなるように潜像が形成される。現像ローラ５４Ｋと感光体２０Ｋとの間に形成される現像ニップ部では、現像ローラ５４Ｋに印加されているバイアス＋４００Ｖと感光体２０Ｋ上の潜像（画像部＋２５Ｖ、非画像部＋６００Ｖ）で形成される電界に従い、選択的にトナー粒子が感光体２０Ｋ上の画像部へと移動する。これにより、感光体２０Ｋ上に画像が形成される。キャリア液は電界の影響を受けないため、現像ローラ５４Ｋと感光体２０Ｋとの現像ニップ部出口で分離して、現像ローラ５４Ｋと感光体２０Ｋとの両方に付着する。
【００３６】
現像ニップ部を通過した感光体２０Ｋは、中間転写ベルト７０とのニップ部を通過し、１次転写が行われる。一次転写バックアップローラ６１Ｋには、トナー粒子の帯電特性と逆極性の約−２００Ｖが印可されており、感光体２０Ｋ上のトナーは中間転写ベルト７０に一次転写され、感光体２０Ｋにはキャリア液のみが残る。感光体２０Ｋ上に残ったキャリア液は、一次転写部下流の感光体ブレード２１Kにより掻き取られ、感光体クリーニング液回収部２２Kで回収される。
【００３７】
一次転写ユニット６０Ｋで中間転写ベルト７０上に一次転写された画像は、二次転写ユニット８０へと向かうが、一次転写ユニット６０Ｋと二次転写ユニット８０との間に、中間転写ベルト７０上の余剰キャリアをかきとるためのスクイーズローラ１５を設けることもあり、この様子を図３に示す。このスクイーズローラ１５は、必須のものではなく、任意の構成である。スクイーズローラ１５周辺には図３に示されるように、スクイーズローラブレード１６及びスクイーズローラクリーニング液回収部１７、バックアップローラ１８が配されている。スクイーズローラ１６には＋４００Ｖ、そのバックアップローラ１８には＋２００Ｖが印加されており、トナー粒子を中間転写ベルト７０側に押し付けるような電界を発生させている。このためスクイーズローラ１６にはトナー粒子は回収されず、電界の影響を受けないキャリア液のみが中間転写ベルト７０とスクイーズローラ１６との間での泣き別れにより回収される。
【００３８】
任意の構成であるスクイーズローラ部を通過した後の中間転写ベルト７０上の画像は、次にベルト背面コロナ発生器１０が設置されている箇所を通過する。図４に、ベルト背面コロナ発生器１０と中間転写ベルト７０との配置関係及び寸法を示す。図４において、ａ（ハウス背面からワイヤまでの距離）＝８ｍｍ、ｂ（ワイヤからハウス開放面までの距離）＝３ｍｍ、ｃ（ハウス開放面からベルトまでの距離）＝４ｍｍ、ｄ（ハウスの幅）＝１２ｍｍである。ここで、中間転写ベルト７０の厚みは、７０μｍである。また、中間転写ベルト７０は、体積抵抗８．２×１０９Ω・ｃｍ、比誘電率４．０のものを用いている。
【００３９】
このような中間転写ベルト７０背面に設けられたベルト背面コロナ発生器１０のワイヤには＋６．２ｋＶのバイアスが印加されており、プラスのコロナが中間転写ベルト７０の背面に付与される。発明が解決しようとする課題の欄にも記載したとおり、中間転写ベルト７０上のトナー粒子は、中間転写ベルト７０に近い側で層状となっており、中間転写ベルト７０から遠い側にキャリア液の層が形成されている（図７参照）。ここで、ベルト背面コロナ発生器１０により電界を受けることによりトナー粒子層は中間転写ベルト７０から引き剥がされる力を受ける。図５に、中間転写ベルト７０上のトナー粒子層がベルト背面コロナ発生器１０により電界を受け移動する様子を示す。中間転写ベルト７０の表面１０１において、ベルト背面コロナ発生器１０を通過するまでは、トナー粒子１０２は中間転写ベルト７０の表面に層状に貼り付いているが、ベルト背面コロナ発生器１０の箇所を通過すると、トナー粒子１０２は、ベルト背面コロナ発生器１０からの電界を受け中間転写ベルト表面１０１から引き剥がされる。この結果、ベルト背面コロナ発生器１０近傍通過後は、トナー粒子１０２の層とキャリア液１０３の層の位置が交換され、中間転写ベルト７０に近い側にキャリア液１０３の層、遠い側にトナー粒子１０２の層となる。これにより、二次転写後、トナー粒子が全て完全に用紙等の媒体に転写されず、中間転写ベルト７０の表面に残留してしまう二次転写不良を防止することができる。
【００４０】
中間転写ベルト７０の表面１０１がこのような状態となったまま、中間転写ベルト７０は次に二次転写ユニット８０へと進み、中間転写ベルト７０と二次転写ローラ８１のニップ部に進入する。この際のニップ幅は３ｍｍに設定されている。二次転写ユニット８０において、二次転写ローラ８１には−１２００Ｖが、また、ベルト駆動ローラ８２には＋２００Ｖがそれぞれ印加されており、これにより中間転写ベルト７０上のトナー粒子１０２の層は用紙等の媒体に転写される。
【００４１】
なお、ベルト駆動ローラ８２および、スクイーズローラが設けられるような場合には、スクイーズローラ１５のバックアップローラ１８に、＋２００Ｖが印加されているが、これはベルト背面コロナ発生器１０により付与された電荷が、中間転写ベルト７０を通して、これらのローラに逃げることにより有効な電界が付与されなくなるのを防ぐためである。
【００４２】
次に本発明の他の実施の形態を図６を参照しつつ説明する。この実施の形態では、図６に示すように、中間転写ベルト７０のトナー粒子画像が転写される側にベルト背面コロナ発生器１０と対向するように中間転写ベルト７０に近接して対向電極１１を設ける。この場合、対向電極１１と中間転写ベルト７０の距離は２００μｍ以下が好ましい。このような対向電極１１にベルト背面コロナ発生器１０と反対の極性のバイアス（例えば−５００Ｖ）を印加することで、ベルト背面コロナ発生器１０による電界がより効果的に形成され、トナー粒子１０２は、中間転写ベルト表面１０１から速やかに引き剥がされる。そして、トナー粒子１０２の層とキャリア液１０３の層の位置が交換され、ベルトに近い側にキャリア液１０３の層、遠い側にトナー粒子１０２の層となる。これにより、二次転写後、中間転写ベルト７０の表面にトナー粒子が残留してしまう二次転写不良を防止することができる。
【図面の簡単な説明】
【００４３】
【図１】本発明の実施の形態に係る画像形成装置を構成する主要構成要素を示す図である。
【図２】現像ユニットの主要構成要素を示した断面図である。
【図３】一次転写ユニットと二次転写ユニットとの間にスクイーズローラが設けられた構成を示す図である。
【図４】ベルト背面コロナ発生器と中間転写ベルトとの配置関係・寸法を示す図である。
【図５】トナー粒子層がベルト背面コロナ発生器により電界を受け移動する様子を示す図である。
【図６】本発明の他の実施の形態に係る構成を示す図である。
【図７】用紙転写前の中間転写ベルト上のトナー粒子の様子を拡大した図である。
【図８】転写後の中間転写ベルト、用紙上のトナー粒子を拡大した様子を示す図である。
【符号の説明】
【００４４】
１０・・・ベルト背面コロナ発生器、１１・・・対向電極
１５・・・スクイーズローラ、１６・・・スクイーズローラブレード、１７・・・スクイーズローラクリーニング液回収部、１８・・・（スクイーズ部）バックアップローラ
２０Ｙ、２０Ｍ、２０Ｃ、２０Ｋ・・・感光体
２１K・・・感光体ブレード、２２K・・・感光体クリーニング液回収部
３０Ｙ、３０Ｍ、３０Ｃ、３０Ｋ・・・コロナ帯電器
４０Ｙ、４０Ｍ、４０Ｃ、４０Ｋ・・・露光ユニット光路
５０Ｙ、５０Ｍ、５０Ｃ、５０Ｋ・・・現像ユニット
５１Ｙ、５１Ｍ、５１Ｃ、５１Ｋ・・・トナー供給ローラ
５３Ｙ、５３Ｍ、５３Ｃ、５３Ｋ・・・現像トナー容器
５４Ｙ、５４Ｍ、５４Ｃ、５４Ｋ・・・現像ローラ
５２K・・・トナー規制ブレード、５５K・・・均しローラ、５６K・・・均しローラブレード、５７K・・・均しローラブレードクリーニング液回収部、５８K・・・現像ローラブレード、５９K・・・現像ローラクリーニング液回収部
６０Ｙ、６０Ｍ、６０Ｃ、６０Ｋ・・・一次転写ユニット
６１Ｙ、６１Ｍ、６１Ｃ、６１Ｋ・・・一次転写バックアップローラ
７０・・・中間転写ベルト
８０・・・二次転写ユニット、８１・・・二次転写ローラ、８２・・・ベルト駆動ローラ、８３・・・二次転写ローラブレード、８４・・・二次転写ローラクリーニング液回収部、８５・・・ベルト駆動ローラ
１０１・・・中間転写ベルト表面、１０２・・・トナー粒子、１０３・・・キャリア液、１０４・・・用紙繊維、１０５・・・中間転写ベルト側残留トナー粒子、１０６・・・中間転写ベルト側残留キャリア液、１０７・・・用紙側トナー粒子、１０８・・・用紙側キャリア液
【図１】
0004784736.tif 000002
【図２】
0004784736.tif 000003
【図３】
0004784736.tif 000004
【図４】
0004784736.tif 000005
【図５】
0004784736.tif 000006
【図６】
0004784736.tif 000007
【図７】
0004784736.tif 000008
【図８】
0004784736.tif 000009